【事件の表示】
　国際登録第７６０２８０号に係る国際商標登録出願の拒絶査定に対する審判事件について、次のとおり審決する。
【結論】
　本件審判の請求は、成り立たない。
【理由】
１　本願商標
　本願商標は、別掲に表示するとおりの構成よりなり、国際登録において指定された商品を指定商品とし、２００１（平成１３）年６月１５日を国際登録の日とするものであり、その後、指定商品については、２００２（平成１４）年５月７日付け手続補正書をもって、第１９類「Ｇｌａｓｓ　ｆｏｒ　ｂｕｉｌｄｉｎｇ；ｗｉｎｄｏｗ　ｇｌａｓｓ（ｅｘｃｅｐｔ　ｇｌａｓｓ　ｆｏｒ　ｖｅｈｉｃｌｅ　ｗｉｎｄｏｗｓ）；ｄｏｏｒｓ（ｎｏｔ　ｏｆ　ｍｅｔａｌ）；ｂｕｉｌｄｉｎｇ　ｐａｎｅｌｓ，ｂｕｉｌｄｉｎｇ　ｐａｒｔｉｔｉｏｎｓ　ａｎｄ　ｐａｒｔｓ（ｎｏｔ　ｏｆ　ｍｅｔａｌ）ａｎｄ　ｆｉｔｔｉｎｇｓ　ｔｈｅｒｅｆｏｒ．」及び第２１類「Ｕｎｗｏｒｋｅｄ　ｏｒ　ｓｅｍｉ−ｗｏｒｋｅｄ　ｇｌａｓｓ（ｅｘｃｅｐｔ　ｂｕｉｌｄｉｎｇ　ｇｌａｓｓ）；ｒｅｃｅｐｔａｃｌｅｓ，ｂｏｗｌｓ，ｃａｐｓ　ａｎｄ　ｓｔｏｐｐｅｒｓ　ｏｆ　ｇｌａｓｓ．」と補正されたものである。
２　原査定の拒絶の理由
　原査定は、以下のとおり認定、判断し、本願を拒絶したものである。
（１）本願商標は、「太陽の、太陽に関係する」を意味する英語「ＳＯＬＡＲ」の文字と一般に商品の種類を表示するアルファベット１文字「Ｅ」の文字を「ＳＯＬＡＲ　Ｅ」と表示してなるににすぎないから、これをその指定商品、例えば、「太陽光を制御するガラス」について使用するときは、単に商品の品質を表示したにすぎないものと認める。したがって、本願商標は、商標法第３条第１項第３号に該当し、前記商品以外の商品に使用するときは、商品の品質の誤認を生じさせるおそれがあるので、商標法第４条第１項第１６号に該当する。
（２）本願商標は、登録第４５１９１１２号商標（以下「引用商標」という。）と同一又は類似であって、その商標に係る指定商品と同一又は類似の商品について使用するものであるから、商標法第４条第１項第１１号に該当する。
　そして、引用商標は、「ＳＯＬＡＲＥ　２１」の文字を書してなり、平成１１年８月２０日に登録出願、第１１類「太陽熱利用温水器，電球類及び照明用器具，あんどん，ガスランプ，石油ランプ，ちょうちん，ほや，ガス湯沸かし器，調理台，流し台，加熱器，アイスボックス，氷冷蔵庫，家庭用電熱用品類，浴槽類，家庭用浄水器，水道蛇口用座金，水道蛇口用ワッシャー，汚水浄化槽，家庭用汚水浄化槽，家庭用し尿処理槽，し尿処理槽，洗浄機能付き便座，洗面所用消毒剤ディスペンサー，便器，和式便器用いす，あんか，かいろ，かいろ灰，化学物質を充てんした保温保冷具，湯たんぽ」を指定商品として、同１３年１１月２日に設定登録され、現に有効に存続しているものである。
３　当審の判断
　本願商標は、別掲に表示するとおりの構成よりなり、その構成前半の「ＳＯＬＡＲ」の文字と「Ｅ」の文字の間には、半角程度の空白が認められ、「ＳＯＬＡＲ」と「Ｅ」の２つの文字部分よりなるものと認められる。
　そして、構成前半の「ＳＯＬＡＲ」（「ソーラー」と発音される。）の文字は、「（熱・光などが）太陽から生じる、太陽光線（熱）を利用した」の意味を有する英語として親しまれているものであり、同後半の「Ｅ」の文字は、商品の規格・品番等を表示するための記号・符号として一般に使用されている欧文字一文字の一類型と認められるものである。
　してみれば、本願商標に接する取引者、需要者は、これを前記各文字（語）の結合よりなるものと容易に認識、理解するとみるのが相当である。
　ところで、「ＳＯＬＡＲ」又は「ソーラー」は、本願商標の指定商品を取り扱う取引者、需要者間において、太陽光（熱）に関係する商品を表示するものとし、例えば、「ソーラ商品」及び「ソーラー製品」のように使用されており、特に本願指定商品中の「Ｇｌａｓｓ　ｆｏｒ　ｂｕｉｌｄｉｎｇ；ｗｉｎｄｏｗ　ｇｌａｓｓ（建築用ガラス，窓ガラス）」に関して、室内外に近赤外線吸収および紫外線カット機能を持つガラスである「ソーラーコントロールガラス」があり、これらは次のような新聞記事及びインターネットによるホームページの情報等により認めることができる。
（１）「ソーラー商品」について
ア　「古河電工、日本信販と組み
ソーラー商品
イ　「シロキ工業、９８年３月期の非自動車部門売り上げを４０億円へ」の見出しの下、「このほど非自動車の
ソーラー商品
ウ　「身の回りに太陽光発電　藤井絢子（くらし考）」の見出しの下、「今、環境生協の事務所のガラス戸に沿って、
ソーラー商品
（２）「ソーラー製品」について
ア　「京セラが鉛系はんだ使わずの太陽電池モジュール開発　２００４年から受注生産」の見出しの下、「京セラは２６日、『鉛フリーはんだ太陽電池モジュール』を開発し、国内最大規模の２００キロワットシステムとしてソニーイーエムシーエス（本社＝東京都品川区、山下勉社長）の事業所に納入したと発表した。今後、鉛フリーはんだタイプのモジュールを、
ソーラー製品
イ　「やさしいね・人に地球に社会に（１５）ツシマエレクトリック−
ソーラー製品
ソーラー製品
ソーラー製品
ウ　「シンキホーム、太陽光発電装置が好調」の見出しの下、「シンキホームは自然素材を使った住宅販売などがメーン。数年前から、住宅のオプションとして太陽光発電システムの販売を開始した。２０００年の販売件数は１件だったが、０１年１月、付属システムではなく、
ソーラー製品
エ　「グリーン２１（３０）ツシマエレクトリック−ソーラーカーレースに参戦」の見出しの下、「太陽光電池で動く床下換気扇、浴室換気扇、天井裏換気扇もシリーズで製品化した。対馬社長は「
ソーラー製品
オ　「シロキ工業、三洋電機の系列家電販社と太陽熱温水器で代理店契約」の見出しの下、「シロキ工業は販売子会社を通じて三洋電機の系列家電販売会社と太陽熱温水器の代理店契約を結んだ。１日に関東、関西、中部の三洋系の電器店７０００店で販売を始める。（中略）太陽光・熱を利用した
ソーラー製品
（３）「ソーラーコントロールガラス」について
ア　「［特集］役立つ住宅情報　ハウジング・ミニ情報　２枚のガラスの間を真空に」の見出しの下、「日本板硝子はこのほど、世界で初めて２枚のガラスの間を真空層にすることで、室内で暖めたり冷やしたりした空気を外に逃がさない断熱性能を実現した真空ガラス『スペーシア』を新発売した。＜中略＞
ソーラーコントロールガラス
イ　「プラスチックサッシ」について、「遮熱複層ガラス仕様」の説明として「太陽光の紫外線領域の吸収性能が高い
ソーラーコントロールガラス
ウ　「建築用ガラス」の見出しの下、「住宅やビルの建築用ガラスに金属や酸化物の薄膜を形成し、熱線や紫外線をコントロールします。その一つが、
ソーラーコントロールガラス
エ　「遮熱高熱複層ガラス仕様」の見出しの下、「日射熱取得率をダウンさせたことにより、窓ガラスを通して入ってくる日射熱量（取得熱量）の大幅な軽減が可能となりました。このため、夏場の冷房効率が大きく向上。省エネ対策に優れた効果を発揮します。また、太陽光の紫外線領域の吸収性能が高い
ソーラーコントロールガラス
オ　「米国の先端フラットガラス市場」の見出しの下、「エネルギー効率アップ・防犯対策・安全性と利便性の追求といった促進要因を受け、
ソーラーコントロールガラス
　以上よりすれば、本願商標は、これをその指定商品に使用した場合、これに接する取引者、需要者はその商品が「太陽熱、太陽光を利用した商品」であると認識し、商品の品質を表示したものと理解されるに止まるものであるから、自他商品の識別標識としての機能を果たし得ないものというのが相当である。
　また、本願商標は、これを前記に照応する商品以外の商品について使用するときは、商品の品質について誤認を生じさせるおそれがあるものというべきである。
　したがって、本願商標と引用商標との商標の類否について検討するまでもなく、本願商標が商標法第３条第１項第３号及び同法第４条第項第１６号に該当するものとして本願を拒絶した原査定は、妥当であって、取り消すことができない。
　よって、結論のとおり審決する。